(57)【要約】      （修正有）【課題】印刷物制作における訂正指示が正確、迅速に伝達でき、効率的な訂正指示及び訂正作業を行うことを可能とする訂正管理システム等を提供する。【解決手段】サーバは、訂正元制作物プレビュデータを表示する訂正元制作物プレビュ領域５１上に訂正指示領域６１を重畳配置、送信し、表示された訂正指示作成画面６０に手書き入力手段により、訂正元制作物プレビュ領域５１と座標位置が同期する訂正指示領域６１に書き込まれた訂正指示データを訂正指示リストに登録する訂正指示書込み手段と、訂正指示リストから選択された訂正指示の訂正指示内容／訂正指示内容を示す修正フラグを、対応する訂正元制作物プレビュデータを表示する訂正元制作物プレビュ領域５１上に重畳配置しクライアント端末に提示する訂正指示確認手段を備える。【選択図】図７
2009211482.tif 000002
【特許請求の範囲】
【請求項１】
印刷制作物に対する訂正指示を依頼する依頼者の端末装置と、前記訂正指示に応じて訂正を行う制作会社の端末装置と、訂正指示と訂正作業を管理するサーバとがネットワークを介して接続される訂正管理システムであって、
前記サーバは、
訂正元となる制作物毎に関連付けられた、前記制作物のプレビュデータである訂正元制作物プレビュデータからなる訂正元制作物プレビュレイヤー上に訂正指示レイヤーを重畳配置して前記依頼者の端末装置に提示し、前記依頼者の端末装置からの手書き入力手段により前記訂正元制作物プレビュレイヤーと同期して前記訂正指示レイヤーに書き込まれた訂正指示データを訂正指示リストに登録、記憶する訂正指示書込み手段と、
前記訂正指示リストに登録されている訂正指示データの位置に対応する訂正元制作物プレビュレイヤー上に、該訂正指示データに相当する訂正指示箇所情報を、重畳配置し前記端末装置に提示する訂正指示箇所確認手段と、
を具備することを特徴とする訂正管理システム。
【請求項２】
前記訂正指示箇所情報は、前記訂正元制作物プレビュレイヤーの画面倍率に応じて、訂正指示内容、又は訂正指示内容をアイコン化した修正フラグであることを特徴とする請求項１記載の訂正管理システム。
【請求項３】
前記訂正指示作成手段、及び前記訂正指示箇所確認手段は、
更に、前記訂正元制作物プレビュデータ全体を表示する全体表示領域と、前記全体表示領域上に前記訂正元制作物プレビュレイヤーの表示範囲を示す枠を前記端末装置に提示し、前記端末装置により、前記訂正元制作物プレビュレイヤーの表示範囲を移動又は拡大縮小することにより、前記全体表示領域上の枠を同期して移動させることを特徴とする請求項１又は請求項２記載の訂正管理システム。
【請求項４】
前記手書き入力手段は、マウス又はタブレットであることを特徴とする請求項１乃至請求項３いずれかに記載の訂正管理システム。
【請求項５】
前記訂正指示作成手段は、半調処理した訂正元制作物プレビュデータを訂正元制作物プレビュレイヤーに表示することを特徴とする請求項１乃至請求項４いずれかに記載の訂正管理システム。
【請求項６】
前記サーバはＷｅｂサーバであり、前記端末装置はＷｅｂブラウザとして機能するものであることを特徴とする請求項１乃至請求項５いずれかに記載の訂正管理システム。
【請求項７】
コンピュータを請求項１から請求項６のいずれかに記載の訂正管理システムにおけるサーバとして機能させるプログラム。
【請求項８】
コンピュータを請求項１から請求項６のいずれかに記載の訂正管理システムにおけるサーバとして機能させるプログラムを記録した記録媒体。
【発明の詳細な説明】
【技術分野】
【０００１】
本発明は、ネットワークを利用した、印刷制作物に対する訂正指示と訂正作業を管理する訂正管理システムに関する。
【背景技術】
【０００２】
従来から、チラシ、カタログ、パンフレットなど印刷物の編集制作に適した、ページレイアウトシステムが実用化されている。更に、近年、媒体制作を行う際に、コンピュータの普及に伴い、カタログに載せる商品データをデータベース化して利用することが始まっている。得意先を含めた形態で、データベースと連携して制作作業を行うことができるデスクトップパブリッシング（ＤＴＰ）作業と親和性の高い媒体制作システムが運用され、媒体制作作業の効率化が図られてきている。
【０００３】
一般に、制作物に対して、内容変更、記載不備が生じ、依頼者と制作会社との間で、紙媒体等により訂正指示、訂正、確認等何回かのやりとりの後、初めて制作物が完成する。
また、特殊な配置のドットが印刷された透明な印刷媒体と、印刷媒体のドットを読み取った結果を含む電子ペンデータを保持する電子ペンとを用いて、校正情報画像を生成する校正システムが存在する（例えば、特許文献１）。
また、校正用校正レイヤーを作成し管理することにより、誰がどのような指示を入れたかという情報を管理でき、校正時間を短縮することが出来る校正装置及び校正方法が公開されている（例えば、特許文献２）。
【０００４】
【特許文献１】特開２００７−２４９８８０号公報
【特許文献２】特開２００３−２９６３１３号公報
【発明の開示】
【発明が解決しようとする課題】
【０００５】
しかしながら、依頼者が、訂正指示を紙ベースで指示を行うのは、慣れの問題だけでなく、デザイン的要素の指示を制作会社に伝える場合に行われており、デザイン的な要素が、デジタル化の阻害要因となっていた。また、訂正指示の内容を理解し難いという問題点があった。
【０００６】
本発明は、以上の点に鑑みてなされたものであり、印刷物制作における訂正指示が正確、迅速に伝達でき、効率的な訂正指示及び訂正作業を行うことを可能とする訂正管理システム等を提供することを目的とする。
【課題を解決するための手段】
【０００７】
前述した目的を達成するために第１の発明は、印刷制作物に対する訂正を依頼する依頼者の端末装置と、前記訂正指示に応じて訂正を行う制作会社の端末装置と、訂正指示と訂正作業を管理するサーバとがネットワークを介して接続される訂正管理システムであって、前記サーバは、訂正元となる制作物毎に関連付けられた、前記制作物のプレビュデータである訂正元制作物プレビュデータを表示する訂正元制作物プレビュレイヤー上に訂正指示レイヤーを重畳配置して前記依頼者の端末装置に提示し、前記依頼者の端末装置からの手書き入力手段により前記訂正元制作物プレビュレイヤーと位置が同期する前記訂正指示レイヤーに書き込まれた訂正指示データを訂正指示リストに登録、記憶する訂正指示書込み手段と、前記訂正指示リストに登録されている訂正指示データの位置に対応する訂正元制作物プレビュレイヤー上に、該訂正指示データに相当する訂正指示箇所情報を、重畳配置し前記端末装置に提示する訂正指示箇所確認手段と、を具備することを特徴とする訂正管理システムである。
【０００８】
また、前記訂正指示箇所情報は、前記訂正元制作物プレビュレイヤーの画面倍率に応じて、訂正指示内容、又は訂正指示内容をアイコン化した訂正フラグであることが望ましい。
また、前記訂正指示作成手段、及び前記訂正指示箇所確認手段は、更に、前記訂正元制作物プレビュデータ全体を表示する全体表示領域と、前記全体表示領域上に前記訂正元制作物プレビュレイヤーの表示範囲を示す枠を前記端末装置に提示し、前記端末装置により、前記訂正元制作物プレビュレイヤーの表示範囲を移動又は拡大縮小することにより、前記全体表示領域上の枠を同期して移動させることが望ましい。
また、前記手書き入力手段は、マウス又はタブレットであることが望ましい。
また、前記訂正指示作成手段は、半調処理した訂正元制作物プレビュデータを訂正元制作物プレビュレイヤーに表示することが望ましい。
また、前記サーバはＷｅｂサーバであり、前記端末装置はＷｅｂブラウザとして機能するものであることが望ましい。
【０００９】
第１の発明では、依頼者と制作会社との間でスムーズな連携をとりながら、訂正指示が迅速に伝達でき、効率的に訂正作業を進めることができる。
また、手書き入力手段であるマウスやタブレットを用いて訂正指示の書き込みを行うことにより、依頼者は従来紙で行っている作業と同じ感覚で作業を行うことができ、制作会社側は、依頼者からのデザイン的な要素を含んだ訂正指示内容を正確に把握でき、確実な訂正処理を行うことを可能とする。
また、訂正指示をデジタル化することでの紙量減少による効果（コスト面、環境面など）も期待できる。
【００１０】
第２の発明は、コンピュータを第１の発明の訂正管理システムのサーバとして機能させるプログラムである。
第３の発明は、コンピュータを第１の発明の訂正管理システムのサーバとして機能させるプログラムを記録した記録媒体である。
【００１１】
上述のプログラムをＣＤ−ＲＯＭ等の記録媒体に保持させて流通させてもよいし、このプログラムを通信回線を介して送受することもできる。
【発明の効果】
【００１２】
本発明は、印刷物制作における訂正指示が正確、迅速に伝達でき、効率的な訂正指示及び訂正作業を行うことを可能とする訂正管理システム等を提供することができる。
【発明を実施するための最良の形態】
【００１３】
以下に、添付図面を参照しながら、本発明に係る訂正管理システム等の好適な実施形態について詳細に説明する。なお、以下の説明および添付図面において、略同一の機能構成を有する構成要素については、同一の符号を付することにより重複説明を省略することにする。
【００１４】
図１は、本発明の本実施の形態に係る訂正管理システム１００の概略構成を示す図である。
【００１５】
図１は、訂正管理システム１００の１例であり、図１に示すように、訂正管理システム１００は、サーバ１、依頼元１０と制作会社１３の複数のクライアント端末４等が、ネットワーク９を介して接続されて構成される。
【００１６】
ネットワーク９は、インターネット、ローカルエリアネットワーク（ＬＡＮ）、社内ＬＡＮ等のネットワークであり、有線、無線を問わない。
【００１７】
サーバ１は、サーバコンピュータ等であり、Ｗｅｂサーバ２、Ｗｅｂアプリケーション３である訂正管理アプリケーション、及び訂正管理アプリケーション実行時に取得する訂正元制作物プレビュデータ２１、訂正指示データ２２、訂正後制作物プレビュデータ２４等を記憶する記憶部３０２を有する。訂正管理アプリケーションは、訂正指示書込み手段１０１、訂正指示箇所確認手段１０２を有する。
【００１８】
訂正指示書込み手段１０１は、訂正元制作物プレビュデータを表示する訂正元制作物プレビュレイヤー上に訂正指示レイヤーを重畳配置して依頼元１０のクライアント端末４に提示し、依頼元１０のクライアント端末４からの手書き入力手段により訂正元制作物プレビュレイヤーと座標位置が同期する訂正指示レイヤーに書き込まれた訂正指示データを訂正指示リストに登録、記憶する。
訂正指示箇所確認手段１０２は、訂正指示リスト２２に登録された訂正指示データ２３に相当する訂正指示箇所情報を、該訂正指示データの位置に対応する訂正元制作物プレビュデータ２１を表示する訂正元制作物プレビュレイヤー上に重畳配置しクライアント端末４に提示する。
【００１９】
クライアント端末４は、パーソナルコンピュータ、携帯型端末機（Ｐｅｒｓｏｎａｌ  Ｄｉｇｉｔａｌ  Ａｓｓｉｓｔａｎｔ）等である。クライアント端末４は、Ｗｅｂブラウザ５を有する。クライアント端末４は、依頼元１０、制作会社１３の担当者が有する。各クライアント端末４は、運用に応じて、サーバ１から訂正元制作物プレビュデータ２１、訂正指示データ２３等を受信し、表示し、その内容を確認し、訂正指示や訂正を行う。
【００２０】
尚、本実施の形態の訂正管理システム１００は、ＷＷＷ（Ｗｏｒｌｄ  Ｗｉｄｅ  Ｗｅｂ）技術を用いて実現し、サーバ１はＷｅｂサーバ２を、クライアント端末４はＷｅｂブラウザ５を搭載し、サーバ１とクライアント端末４は、夫々、Ｗｅｂサーバ２、Ｗｅｂブラウザ５を介して、データの送受信を行う。
【００２１】
次に、図２を参照しながら、サーバ１のハードウェア構成を説明する。図２は、サーバ１のハードウェア構成図である。
【００２２】
サーバ１は、制御部３０１、記憶部３０２、メディア入出力部３０３、通信制御部３０４、入力部３０５、表示部３０６、印刷部３０７等が、システムバス３０９を介して接続されて構成される。
【００２３】
制御部３０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００２４】
ＣＰＵは、記憶部３０２、ＲＯＭ、記録媒体等に格納されるプログラムをＲＡＭ上のワークメモリ領域に呼び出して実行し、システムバス３０９を介して接続された各装置を駆動制御し、サーバ１が行う各種データベース管理処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部３０２、ＲＯＭ、記録媒体等からロードしたプログラム、データ等を一時的に保持するとともに、制御部３０１が各種処理を行う為に使用するワークエリアを備える。
【００２５】
記憶部３０２は、ＨＤＤ（ハードディスクドライブ）であり、制御部３０１が実行するプログラム、プログラム実行に必要なデータ、ＯＳ（オペレーティングシステム）等が格納される。プログラムに関しては、ＯＳ（オペレーティングシステム）に相当する制御プログラム２８や、本コンピュータを適用するサーバ１が行う訂正管理アプリケーションに相当するアプリケーションプログラム２９等が格納されている。
これらの各プログラムコードは、制御部３０１により必要に応じて読み出されてＲＡＭに移され、ＣＰＵに読み出されて各種の手段として実行される。
【００２６】
メディア入出力部３０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００２７】
通信制御部３０４は、通信制御装置、通信ポート等を有し、サーバ１とネットワーク９間の通信を媒介する通信インタフェースであり、ネットワーク９を介して、サーバ１と、クライアント端末４間の通信制御を行う。
【００２８】
入力部３０５は、データの入力を行い、例えば、キーボード、マウス等のポインティングデバイス、テンキー等の入力装置を有する。
入力部３０５を介して、サーバ１に対して、操作指示、動作指示、データ入力等を行うことができる。
【００２９】
表示部３０６は、ＣＲＴモニタ、液晶パネル等のディスプレイ装置を有する。
【００３０】
印刷部３０７は、プリンタであり、印刷出力処理を行う。
システムバス３０９は、各装置間の制御信号、データ信号等の授受を媒介する経路である。
【００３１】
次に、図３を参照しながら、サーバ１の記憶部３０２が保持する情報について説明する。図３は、記憶部３０２が保持する情報を示す図である。
【００３２】
記憶部３０２内には、訂正管理情報２０、及び制御プログラム２８、アプリケーションプログラム２９等が格納されている。
【００３３】
訂正管理情報２０は、訂正元となる１つの制作物毎に、訂正元制作物プレビュデータ２１、１又は複数の訂正指示データ２３からなる訂正指示リスト２２、訂正後制作物プレビュデータ２４等からなる。
【００３４】
訂正元制作物プレビュデータ２１は、訂正元となる制作物毎に関連付けられた制作物のプレビュデータである。
訂正指示データ２３は、訂正元制作物プレビュデータ２１に対応付けられる、依頼元１０からの訂正指示内容である。
訂正後制作物プレビュデータ２４は、訂正元制作物プレビュデータ２１に対して、訂正指示リスト２２内の訂正指示データ２３すべてに応じて修正したプレビュデータである。
【００３５】
尚、訂正元制作物２７、１又は複数の訂正指示データ２３からなる訂正指示リスト２２、訂正後制作物プレビュデータ２４を変換した訂正後制作物等は、データベースに登録、記憶してもよい。
【００３６】
制御プログラム２９は、サーバ１の各構成部分を駆動制御するプログラムであり、ＯＳ（オペレーティングシステム）に相当する。
アプリケーションプログラム２８は、サーバ１が行う訂正管理アプリケーション（訂正指示書込み手段１０１、訂正指示箇所確認手段１０２）に相当する実行可能プログラムである。
【００３７】
次に、図４を参照しながら、クライアント端末４のハードウェア構成を説明する。図４は、クライアント端末４のハードウェア構成図である。
【００３８】
クライアント端末４は、制御部４０１、記憶部４０２、通信制御部４０３、メディア入出力部４０４、入力部４０５、表示部４０６、印刷部４０７等が、システムバス４０９を介して接続される。
クライアント端末４のハードウェア構成は、図２について前述したサーバ１と同様の構成を採る。
【００３９】
尚、入力部４０５は、訂正指示の書き込みを行う。例えば、手書き入力手段であるマウスやタブレット、キーボード等の入力装置を有する。
また、記憶部４０２には、プログラムに関しては、ＯＳ（オペレーティングシステム）に相当する制御プログラムや、本コンピュータを適用するクライアント端末４が行う後述の処理に相当するＷｅｂブラウザ５等に該当するアプリケーションプログラム等が格納されている。これらの各プログラムコードは、制御部４０１により必要に応じて読み出されてＲＡＭに移され、ＣＰＵに読み出されて各種の手段として実行される。
【００４０】
次に、図５、図７を参照しながら、訂正管理システム１００の訂正元である制作物に対する訂正指示を行う訂正指示書込み処理の処理手順について説明する。
図５は、訂正管理システム１００の訂正指示書込み処理の処理手順を示すフローチャートである。
図７は、閲覧画面５０、訂正指示作成画面６０を示す図である。
【００４１】
Ｗｅｂサーバ２の記憶部３０２には、アプリケーションプログラム２９である訂正管理プログラムがインストールされている。以下のＷｅｂサーバ１の処理は、この訂正管理プログラムの制御に従って、Ｗｅｂサーバ１の制御部３０１によって行われる。
また、クライアント端末４の記憶部４０２には、アプリケーションプログラムであるＷｅｂブラウザ５がインストールされており、以下のクライアント端末４の処理（Ｗｅｂブラウザ５を介したＷｅｂサーバ２へのアクセス、Ｗｅｂサーバ２への指示、入力等）は、クライアント４の制御部４０１によって行われる。
【００４２】
依頼元１０のクライアント端末４の制御部４０１（以降、制御部４０１を省略する）は、Ｗｅｂサーバ２を介して、サーバ１にアクセスし、取得した訂正元となる制作物（訂正元制作物２７）に対する閲覧要求を送信する（ステップＳ２０１）。
尚、訂正元となる制作物（訂正元制作物２７）の取得方法は、例えば、データベースに記憶、管理され、依頼元１０のクライアント端末４からの指示に従い、データベースサーバを介して取得する方法や、ネットワーク９を介して、依頼元１０のクライアント端末４から受信し取得する方法等いろいろな方法が考えられるが、ここでは、その方法については言及しない。
【００４３】
サーバ１の制御部３０１（以降、制御部３０１を省略する）は、訂正元制作物２７をプレビュデータに変換した訂正元制作物プレビュデータ２１を訂正管理情報２０に登録、保持し（ステップＳ２０２）、訂正元制作物プレビュデータ２１を配置する訂正元制作物プレビュレイヤーからなる閲覧画面データを送信する（ステップＳ２０３）。
依頼元１０のクライアント端末４は、閲覧画面５０を表示する（ステップＳ２０４）。
【００４４】
図７に示すように、閲覧画面５０は、訂正元制作物プレビュ領域５１、表示ツール５２、操作メニュ領域５３からなる。
訂正元制作物プレビュ領域５１には、訂正元制作物プレビュレイヤーに相当し、訂正元制作物プレビュデータ２１を表示する。表示ツール５２は、訂正元制作物プレビュ領域５１の画面倍率を変更し拡大／縮小するスケールバー５４、移動方向を操作する位置表示アイコン５５からなる。操作メニュ領域５３は、訂正指示書き込みモードに移行する「訂正指示書込み」ボタン５６、「戻る」ボタン等からなる。
依頼元１０のクライアント端末４は、「訂正指示書込」ボタン５６をクリックすることにより、訂正指示書込み開始要求を送信する（ステップＳ２０５）。
サーバ１の制御部３０１は、半調処理した訂正元制作物プレビュデータ２１を表示する訂正元制作物プレビュレイヤー上に訂正指示レイヤーを重畳配置して生成した訂正指示作成画面データをクライアント端末４に送信する（ステップＳ２０６）。
【００４５】
依頼元１０のクライアント端末４は、訂正指示作成画面６０を表示する（ステップＳ２０７）。
【００４６】
図７に示すように、訂正指示作成画面６０は、訂正指示６１を書き込み可能な訂正元制作物プレビュ領域５１、全体表示領域６２、書き込みツールからなるパレット６３、「半調」ボタン６５、「登録」ボタン６６等からなる。
訂正元制作物プレビュ領域５１は、半調処理した訂正元制作物プレビュデータ２１が薄く表示される。「半調」ボタン６５をクリックすることにより、半調処理した訂正元制作物プレビュデータ２１を薄く表示してもよい。
全体表示領域６２には、制作物全体に相当する訂正元制作物プレビュデータ２１と、全体表示領域上に訂正元制作物プレビュ領域５１の表示範囲を示す枠６４を表示する。訂正元制作物プレビュレイヤーの表示範囲を移動又は拡大縮小することにより、全体表示領域６２上の枠６４を、同期して移動させる。
パレット６３には、書き込みペンの「色」、「線の太さ」、「やり直し」、「全て削除」等を有し、書き込みペンの色、ペン幅等を選択できる。
依頼元１０のクライアント端末４は、パレット６３を用いて、手書き入力手段であるマウス、タブレットや、キーボードで訂正指示を書き込む（ステップＳ２０８）。訂正指示の書き込みは、マウスやタブレットの軌道を記録し、従来紙で行っている作業と同じ感覚で作業を行う。
【００４７】
依頼元１０のクライアント端末４は、「登録」ボタン６６クリックにより、書き込んだ訂正指示データ２３をサーバ１に送信する（ステップＳ２０９）。訂正元制作物２７に対して、複数の訂正指示を書き込むことが可能である。
サーバ１は、受け取った訂正指示データ２３を訂正指示リスト２２に登録、記憶する（ステップＳ２１０）。
【００４８】
次に、図６、図８を参照しながら、訂正管理システム１００の訂正指示済みの制作物を提示、確認する訂正指示箇所確認処理の処理手順について説明する。
図６は、訂正管理システム１００の訂正指示箇所確認処理の処理手順を示すフローチャートである。
図８は、訂正指示確認画面７０を示す図である。
【００４９】
制作会社１３のクライアント端末４は、Ｗｅｂサーバ２を介して、サーバ１にアクセスし、訂正指示済みの制作物閲覧要求を送信する（ステップＳ３０１）。
サーバ１は、訂正指示リスト２２に登録された訂正指示一覧と、訂正元制作物プレビュデータ２１全体を表示する全体表示領域と、登録された訂正指示箇所情報の位置に対応付けられる訂正元制作物プレビュデータを表示する訂正元制作物プレビュレイヤー上に訂正指示箇所情報を重畳配置した訂正指示箇所確認画面データを生成する（ステップＳ３０２）。訂正指示箇所情報は、訂正元制作物プレビュレイヤーの画面倍率に基づいて、所定の倍率以上の場合は訂正指示内容である訂正指示データ２３を配置し、所定の倍率より小さい場合はアイコン化した訂正指示箇所を示す修正フラグ７４を訂正指示データ２３に該当する位置中心に配置する。
サーバ１は、訂正指示箇所確認画面データを送信する（ステップＳ３０３）。
【００５０】
制作会社１３のクライアント端末４は、訂正指示箇所確認画面７０を表示する（ステップＳ３０４）。
【００５１】
訂正指示箇所確認画面７０は、訂正元制作物プレビュ詳細表示領域７１、全体表示領域６２、訂正指示リスト表示領域７２、表示ツール５２等からなる。
訂正元制作物プレビュ詳細表示領域７１は、訂正元制作物プレビュデータ２１と訂正指示箇所情報が表示される。訂正指示箇所情報は、訂正元制作物詳細表示領域７１の画面倍率に応じて、訂正指示データ２２、又は訂正指示内容を示すアイコン化した修正フラグ７４である。修正フラグ７４が表示されている場合、訂正元制作物詳細表示領域７１を所定倍率に拡大すると、訂正指示データ２２が表示される。また、修正フラグ７４をクリックすると、訂正指示内容情報７５が表示される。
全体表示領域６２には、制作物全体に相当する訂正元制作物プレビュデータ２１と、全体表示領域上に訂正元制作物プレビュ詳細表示領域７１の表示範囲を示す枠６４を表示する。訂正元制作物プレビュレイヤーの表示範囲を移動又は拡大縮小することにより、全体表示領域６２上の枠６４を、同期して移動させる。
訂正指示リスト表示領域７２は、訂正指示リスト２２に登録された複数の訂正指示名７３からなる。
表示ツール５２は、訂正元制作物プレビュ詳細表示領域７１の画面倍率を変更し拡大／縮小するスケールバー５４、移動方向を操作する位置表示アイコン５５からなる。
【００５２】
制作会社３のクライアント端末４は、訂正指示一覧７２から所望する訂正指示名７３を選択すると、選択された訂正指示名７３を送信する（ステップＳ３０５）。
サーバ１は、受け取った訂正指示名７３に相当する訂正指示データを訂正指示リスト２２から取得する（ステップＳ３０６）。サーバ１は、取得した訂正指示データ２３、又は訂正指示データ２３に相当する修正フラグ７４である訂正指示箇所情報を訂正元制作物プレビュ詳細表示領域７１の中央に配置し、同期する訂正元制作物プレビュデータ２１を重畳配置した訂正元制作物プレビュ詳細表示領域７１と、全体表示領域６２上の訂正元制作物プレビュ詳細表示領域７１の表示範囲を示す枠６４からなる画面データを送信する（ステップＳ３０７）。
制作会社１３のクライアント端末４は、選択された訂正指示箇所を表示した訂正指示箇所確認画面７０を表示し、訂正指示内容を確認する（ステップＳ３０８）。
制作会社１３のクライアント端末４は、訂正指示箇所を見ながら訂正を行い、訂正した訂正後制作物プレビュデータ２４を送信し、サーバ１は、受け取った訂正後制作物プレビュデータ２４を登録、記憶する。
尚、本実施の形態では、制作会社１３のクライアント端末４が訂正指示箇所閲覧、確認し、訂正処理を行う作業について説明したが、依頼元１０のクライアント端末４が訂正指示箇所閲覧を行う場合もある。
【００５３】
以上説明したように、本発明の実施の形態によれば、制作物に対する訂正指示を依頼する依頼元１０のクライアント端末４と、訂正指示に対する訂正を行う制作会社１３のクライアント端末４と、サーバ１とが、ネットワークを介して接続され、サーバ１は、訂正元制作物プレビュデータを表示する訂正元制作物プレビュレイヤー上に訂正指示レイヤーを重畳配置して依頼元１０のクライアント端末４に提示し、依頼元１０のクライアント端末４からの手書き入力手段により訂正元制作物プレビュレイヤーと座標位置が同期する訂正指示レイヤーに書き込まれた訂正指示データを訂正指示リストに登録、記憶する訂正指示書込み手段１０１と、訂正元制作物プレビュレイヤーと、訂正指示リストに登録された訂正指示一覧とをクライアント端末４に提示し、制作会社１３のクライアント端末４により、訂正指示一覧から選択された訂正指示の訂正指示箇所情報を、該訂正指示データの位置に対応する訂正元制作物プレビュレイヤー上に重畳配置しクライアント端末４に提示する訂正指示確認手段１０２を備える。
【００５４】
これにより、依頼者と制作会社との間でスムーズな連携をとりながら、訂正指示が迅速に伝達でき、効率的に訂正作業を進めることができる。
また、手書き入力手段であるマウスやタブレットを用いて訂正指示の書き込みを行うことにより、依頼者は従来紙で行っている作業と同じ感覚で作業を行うことができ、制作会社側は、依頼者からのデザイン的な要素を含んだ訂正指示内容を正確に把握でき、確実な訂正処理を行うことを可能とする。
また、訂正指示をデジタル化することでの紙量減少による効果（コスト面、環境面など）も期待できる。
【００５５】
尚、本実施の形態では、サーバ１側に、Ｗｅｂサーバ２、Ｗｅｂアプリケーション３（訂正管理プログラム）、訂正管理情報２０等を有し、クライアント端末４から、サーバ１にアクセスし、Ｗｅｂサーバ２を介してＷｅｂアプリケーション３を起動したが、データベースサーバを介してデータベース上に訂正元制作物、訂正指示データ、訂正後制作物等を記憶、管理し、予め、クライアント端末４側にＷｅｂアプリケーション３に相当する訂正管理プログラムをダウンロードにしておき、クライアント端末４上のアプリケーションの実行可能プログラムを起動し、データベースを操作、管理するデータベースサーバを介して訂正元制作物、訂正指示データ、訂正後制作物をアクセスし、訂正指示書込み手段１０１、訂正指示箇所確認手段１０２に相当する処理を実行してもよい。
【００５６】
尚、図５、図６等に示す処理を行うプログラムはＣＤ−ＲＯＭ等の記録媒体に保持させて流通させてもよいし、このプログラムを通信回線を介して送受することもできる。
【００５７】
以上、添付図面を参照しながら、本発明に係る訂正管理システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００５８】
【図１】本実施の形態に係る訂正管理システム１００の概略構成を示す図
【図２】サーバ１のハードウェア構成図
【図３】記憶部３０２が保持する情報を示す図
【図４】クライアント端末４のハードウェア構成図
【図５】訂正管理システム１００の訂正指示書込み処理の処理手順を示すフローチャート
【図６】訂正管理システム１００の訂正指示箇所確認処理の処理手順を示すフローチャート
【図７】閲覧画面５０、訂正指示作成画面６０を示す図
【図８】訂正指示確認画面７０を示す図
【符号の説明】
【００５９】
１００………訂正管理システム
１………サーバ
２………Ｗｅｂサーバ
３………Ｗｅｂアプリケーション
４………クライアント端末
５………Ｗｅｂブラウザ
９………ネットワーク
１０………依頼元
１３………制作会社
２０………訂正管理情報
２１………訂正元制作物プレビュデータ
２２………訂正指示リスト
２３………訂正指示データ
２４………訂正後制作物プレビュデータ
５１………訂正元制作物プレビュ領域
６２………全体表示領域
６４………枠
７４………修正フラグ
７１………訂正元制作物プレビュ詳細表示領域
７４………修正フラグ
１０１………訂正指示書込み手段
１０２………訂正指示箇所確認手段
３０１、４０１………制御部
３０２、４０２………記憶部
【図１】
2009211482.tif 000003
【図２】
2009211482.tif 000004
【図３】
2009211482.tif 000005
【図４】
2009211482.tif 000006
【図５】
2009211482.tif 000007
【図６】
2009211482.tif 000008
【図７】
2009211482.tif 000009
【図８】
2009211482.tif 000010